(57)【特許請求の範囲】
【請求項１】
電気器具を電源に電気的に接続するための電源接続構造装置であって、
第１の電気接続ユニットと、
第２の電気接続ユニットと、
アイドル状態と作動状態との間で切り替えられる制御ユニットと、
を具備し、
前記アイドル状態においては、前記第１の電気接続ユニット及び前記第２の電気接続ユニットが電源と接続されず、前記作動状態においては、前記電源接続構造装置、前記電源、及び前記電気器具の間の電気回路を電気的に接続することで、前記電源が前記電気器具に電力を供給するように、前記制御ユニットが前記第１の電気接続ユニット及び前記第２の電気接続ユニットを電源と電気的に接続し、
前記電源接続構造装置は、アース線プラグホールを有するアース線接続ユニットを更に備え、前記制御ユニットは、前記制御ユニットが前記アース線プラグホールに挿入されるアースピンによって起動されるような方法で、前記アース線接続ユニットと接続され、
前記制御ユニットは２つのマイクロスイッチ、プッシュ部材、２つの作動部材、及び再配置構造を備え、前記作動部材の各々は、作動アームと、前記作動アームから延在する駆動アームと、を備え、前記作動アームは、前記プッシュ部材及び前記再配置構造により、往復運動するよう駆動され、前記マイクロスイッチの各々は、弾性要素と、電気伝導要素である電気接続要素と、を備え、前記アースピンは前記アース線プラグホールに挿入され、前記プッシュ部材は前記アースピンによって移動するよう駆動され、前記駆動アームを駆動して前記弾性要素を付勢するために前記プッシュ部材によって前記作動アームが押され、前記電源接続構造装置が前記電源に電気的に接続することを可能とするように、前記弾性要素が前記電気接続要素を移動させる、電源接続構造装置。
【請求項２】
前記第１の電気接続ユニットは活線接続ユニットであり、前記第２の電気接続ユニットは中性線接続ユニットである、請求項１記載の電源接続構造装置。
【請求項３】
前記電源接続構造装置は、活線アクセス端子及び中性線アクセス端子を備える電気回路構造を更に備え、前記２つのマイクロスイッチは、前記制御ユニットが作動状態のときに、前記２つのマイクロスイッチの一方が前記活線接続ユニットを前記活線アクセス端子と電気的に接続し、前記２つのマイクロスイッチの他方が前記中性線接続ユニットを前記中性線アクセス端子と電気的に接続して、前記電源接続構造装置、前記電気器具、及び前記電源の間の電気回路が電気的に接続されるように構成されている、請求項２記載の電源接続構造装置。
【請求項４】
前記電源接続構造装置は、３穴電源コードであり、前記第１の電気接続ユニットは、活線プラグホールを有し、活線接続端子を備える活線接続ユニットであり、前記第２の電気接続ユニットは、中性線プラグホールを有し、中性線接続端子を備える中性線接続ユニットであり、前記電源接続構造装置は、アース線接続端子を更に備え、前記電気器具の３つのプラグピンが、それぞれ前記活線プラグホール、前記中性線プラグホール、及び前記アース線プラグホールに受容された場合、前記電気器具の前記３つのプラグピンは、それぞれ前記活線接続端子、前記中性線接続端子、及び前記アース線接続端子と電気的に接続される、請求項３記載の電源接続構造装置。
【請求項５】
前記電源接続構造装置は、電気ソケットであり、前記第１の電気接続ユニットは、活線プラグホールを有し、活線接続端子を備える活線接続ユニットであり、前記第２の電気接続ユニットは、中性線プラグホールを有し、中性線接続端子を備える中性線接続ユニットであり、前記電源接続構造装置は、アース線プラグホールを有し、アース線接続端子を備えるアース線接続ユニットを更に備え、前記電気器具の３つのプラグピンが、それぞれ前記活線プラグホール、前記中性線プラグホール、及び前記アース線プラグホールに受容された場合、前記電気器具の前記３つのプラグピンは、それぞれ前記活線接続端子、前記中性線接続端子、及び前記アース線接続端子と電気的に接続される、請求項３記載の電源接続構造装置。
【請求項６】
前記再配置構造は、前記作動部材の一方と接続された第１端部と、前記電気回路構造と接続された第２端部と、をそれぞれ有する２つのばねを備える、請求項４または５記載の電源接続構造装置。
【請求項７】
前記制御ユニットは、保持ピボットと、保持要素と前記プッシュ部材の間に開口部が形成されるように前記保持ピボットと旋回可能及び回転可能に接続された保持要素と、を備え、前記保持要素は前記プッシュ部材に取り外し可能に搭載され、前記開口部に前記アースピンが挿入された場合、前記マイクロスイッチをオンに切り替えるように前記作動部材を駆動させるように、プッシュ部材は保持要素から取り外される、請求項６記載の電源接続構造装置。
【請求項８】
前記開口部の幅は、前記電気器具のプラグの前記アースピンの幅と略等しい、請求項７記載の電源接続構造装置。
【請求項９】
前記保持要素は、固定アームと、前記固定アームから延在する作動アームと、を備え、前記作動アームは前記プッシュ部材と取り外し可能に接続される、請求項８記載の電源接続構造装置。
【請求項１０】
前記作動アームは溝を有し、前記プッシュ部材には、前記作動アームが前記プッシュ部材と取り外し可能に接続されるように、前記溝と取り外し可能に係合するように適合されたフックが設けられる、請求項９記載の電源接続構造装置。
【請求項１１】
前記電源接続構造装置は、前記制御ユニット及び電気回路構造を受容するための受容空洞を画定する防水性ハウジングを備え、前記ハウジングはパーティション構造を更に備え、前記パーティション構造の第１の側面に活線プラグホール、中性線プラグホール、及びアース線プラグホールが形成され、前記パーティション構造の対向する第２の側面に前記電気回路構造が設けられ、前記パーティション構造は、前記制御ユニットと密封状態で接続する中心孔と、活線接続端子、中性線接続端子、及びアース線接続端子のそれぞれが通過し、前記活線接続端子、前記中性線接続端子、及び前記アース線接続端子が前記パーティション構造と密封状態で形成されるようにするための３つの連絡孔と、を有する、請求項２記載の電源接続構造装置。
【請求項１２】
前記電源接続構造装置は、前記制御ユニット及び前記電気回路構造を受容するための受容空洞を画定する防水性ハウジングを備え、前記ハウジングはパーティション構造を更に備え、前記パーティション構造の第１の側面に前記活線プラグホール、前記中性線プラグホール、及び前記アース線プラグホールが形成され、前記パーティション構造の対向する第２の側面に前記電気回路構造が設けられ、前記パーティション構造は、前記制御ユニットと密封状態で接続する中心孔と、前記活線接続端子、前記中性線接続端子、及び前記アース線接続端子のそれぞれが通過し、前記活線接続端子、前記中性線接続端子、及び前記アース線接続端子が前記パーティション構造と密封状態で形成されるようにするための３つの連絡孔と、を有する、請求項６記載の電源接続構造装置。
【請求項１３】
前記制御ユニットは前記アース線プラグホール内に設けられたシールを更に備え、前記シールには、前記プッシュ部材の搭載のための位置調整部材が備えられており、前記シールと前記位置調整部材の間に受容区画が形成され、前記プッシュ部材は、押しアームと、前記押しアームから延在する保持アームと、を備え、前記位置調整部材は、位置調整用孔を有するパッド体を備え、前記保持アームは、前記位置調整用孔を通して前記受容区画内への挿入が可能である、請求項１２記載の電源接続構造装置。
【請求項１４】
前記シール、前記位置調整部材、及び前記プッシュ部材は、防水処理された二酸化シリコンで作製される、請求項１３記載の電源接続構造装置。
【請求項１５】
電源接続構造装置の製造方法であって、
（ａ）表面に活線プラグホール、中性線プラグホール、及びアース線プラグホールを有し、内部に受容空洞を画定するハウジングを提供するステップと、
（ｂ）活線接続端子、中性線接続端子、及びアース線接続端子を、前記活線プラグホール、前記中性線プラグホール、及び前記アース線プラグホールのそれぞれと接続し、前記受容空洞内に、活線アクセス端子及び中性線アクセス端子を備える電気回路構造を配置するステップと、
（ｃ）制御ユニットが前記アース線プラグホールに挿入されるアースピンによって起動されるような方法で、前記アース線プラグホールにおける前記制御ユニットを構成するステップであって、前記制御ユニットは２つのマイクロスイッチ、プッシュ部材、２つの作動部材、及び再配置構造を備え、前記作動部材の各々は、作動アームと、前記作動アームから延在する駆動アームと、を備え、前記作動アームは、前記プッシュ部材及び前記再配置構造により、往復運動するよう駆動され、前記マイクロスイッチの各々は、弾性要素と、電気伝導要素である電気接続要素と、を備え、前記アースピンは前記アース線プラグホールに挿入され、前記プッシュ部材は前記アースピンによって移動するよう駆動され、前記駆動アームを駆動して前記弾性要素を付勢するために前記プッシュ部材によって前記作動アームが押され、前記電源接続構造装置が前記電源に電気的に接続することを可能とするように、前記弾性要素が前記電気接続要素を移動させる、ステップと
を備える方法。
【請求項１６】
電源接続構造装置を介して電気器具を電源と電気的に接続するための方法であって、
（ｉ）前記電気器具の３つのプラグピンを、前記電源接続構造装置の活線接続端子、中性線接続端子、及びアース線接続端子のそれぞれと電気的に接続するため、前記３つのプラグピンを、前記電源接続構造装置の活線プラグホール、中性線プラグホール、及びアース線プラグホールのそれぞれに受容するステップと、
（ｉｉ）前記電源接続構造装置、前記電源、及び前記電気器具の間の電気回路を接続するために、前記活線接続端子及び前記中性線接続端子と、活線アクセス端子及び中性線アクセス端子との間の電気回路をそれぞれ電気的に接続するように、２つのマイクロスイッチをオンに切り替えるために、２つの作動部材を駆動するように、前記電源接続構造装置の制御ユニットのプッシュ部材を、前記アース線プラグホールへと挿入される前記３つのプラグピンのアースピンによって押すステップと、
（ｉｉｉ）前記電源接続構造装置、前記電源、及び前記電気器具の間の前記電気回路を切断するために、前記３つのプラグピンが前記活線プラグホール、前記中性線プラグホール、及び前記アース線プラグホールからそれぞれ抜かれるときに、それぞれ再配置構造によって前記２つのマイクロスイッチをオフに切り替えるために、前記プッシュ部材を再配置するステップと、
を具備する方法。
【発明の詳細な説明】
【技術分野】
【０００１】
〔著作権の表示〕
本特許明細書における開示の一部は、著作権保護の対象となる要素を含む。著作権者は、米国特許商標庁の特許ファイルまたは記録に表されるとおりの本特許開示の何人によるいかなる複製に対して異存は無いが、その他の場合には、いかなる場合にも全ての著作権を留保する。
【０００２】
本発明は、電源接続構造装置に関し、より詳細には、安全に使用でき、防水性を有し、人に対する電気ショックを防止する電源接続構造装置に関する。
【背景技術】
【０００３】
一般に、電源接続構造装置は、電気器具に作動用の電力が供給されるように、電源と電気的に接続される。従来の電源接続構造装置は、ランプソケット、３穴電源コード、または電気ソケットであり得る。２相電源接続装置であるランプソケットは、通常、２本のプラグコラムを含み、そのそれぞれが活線および中性線と電気的に接続される。ランプソケットは、ランプと電気的に接続され、ランプに電力を供給する。３相電源接続装置である３穴電源コードは、通常、活線、中性線、およびアース線のそれぞれと接続するための３つのプラグホールを有し、電力供給のために電気器具と電気的に接続される。３穴電源コードは、コンピュータやプリンタなどのオフィス設備や、炊飯器や給湯器などの家庭用電気器具と共に広く用いられる。２穴および３穴の電気ソケットも、人々の日常生活においてありふれたものとなっている。しかしながら、従来の電源接続構造装置にはいくつかの安全上の問題、特に防水性の問題や人に対する電気ショックの問題が、依然として存在する。例えば、好奇心の強い子どもが家庭用電気スタンドの蛍光灯をソケットから引き抜き、そのソケットに手で触れてしまうかもしれない。従来の電源コードの場合は、子どもが金属製の釘や銅線などの導電性物体を手に持って、プラグホールに差し込んでしまうかもしれない。このような行動は非常に危険であり、人に対する電気ショックを引き起こしうる。一方で、現在の電源接続構造装置は防水機能や防水特性を有さないため、３穴電源コードなどの電源接続構造装置内に意図せず水が入り込んだ場合、装置が電源と電気的に接続される可能性がある。すなわち、人がその装置と接触した場合、その人物に対する電気ショックが発生しやすい。したがって、安全な使用の確保のため、防水性を有し、人に対する電気ショックを防止する電源装置というものが、市場において共通に所望されている。
【発明の概要】
【発明が解決しようとする課題】
【０００４】
本発明の主要な目的は、防水性を有し、人に対する電気ショックを防止し、安全に使用できる電源接続構造装置を提供することにある。
【課題を解決するための手段】
【０００５】
本発明の別の目的は、第１の電気接続ユニットと、第２の電気接続ユニットと、制御ユニットと、を備え、第１の電気接続ユニットおよび第２の電気接続ユニットのみが電源と接続されている場合、または、第１の電気接続ユニットまたは第２の電気接続ユニットのいずれかが単独で電源に接続されている場合、装置と電源の間の電気回路は電気的に接続されない、電源接続構造装置を提供することにある。一方、この電源接続構造装置を電力供給のために用いることが可能であるように、制御ユニットが第１の電気接続ユニットおよび第２の電気接続ユニットを電源と接続する場合にのみ、第１および第２の電気接続ユニットと電源の間の電気回路が電気的に接続される。
【０００６】
本発明の別の目的は、電気回路の接続が制御ユニットによって制御される電源接続構造装置を提供することにある。すなわち、人に対する電気ショックを防止するために、第１および第２の電気接続ユニットと制御ユニットが協働する場合にのみ、この電源接続構造装置は電源と接続することが可能である。
【０００７】
本発明の別の目的は、電気器具を電源と電気的に接続するために用いられる電源接続構造装置であって、第１および第２の電気接続ユニットがそれぞれ活線接続ユニットおよび中性線接続ユニットであり得る一方で、制御ユニットがこの活線接続ユニットと電源の活線の間の電気的接続を制御し、本発明の電源接続構造装置が、電気器具を家庭用または工業用ＡＣ電源と安全に電気的に接続することが可能であるように、中性線接続ユニットと電源の中性線の間、活線接続ユニットと中性線接続ユニットの間の電気的接続は、電源と直接接続されていない、電源接続構造装置を提供することにある。
【０００８】
本発明の別の目的は、電源接続構造装置であって、制御ユニットが２つのマイクロスイッチを備え、制御ユニットが作動すると、電源接続構造装置が電源と電気的に接続されるように、この２つのマイクロスイッチが、活線接続ユニットおよび中性線接続ユニットを活線および中性線のそれぞれと接続する、電源接続構造装置を提供することにある。したがって、制御ユニットが作動する場合にのみ、この２つのマイクロスイッチにより、この電源接続構造装置は電源と接続することが可能であるので、電源接続構造装置は安全に使用できる。
【０００９】
本発明の別の目的は、電源接続構造装置であって、３穴電源コードであってもよく、第１の電気接続ユニットが、活線プラグホールと、活線接続端子と、を含み、第２の電気接続ユニットが、中性線プラグホールと、中性線接続端子と、を備える、電源接続構造装置を提供することにある。３穴電源コードは、アース線プラグホールを更に有し、活線プラグホール、中性線プラグホール、およびアース線プラグホールは、それぞれ活線、中性線、およびアース線との接続に適合する。３穴電源コードは、活線アクセス端子と、中性線アクセス端子と、アース線アクセス端子とを備える電気回路構造を更に備え、制御ユニットの導入によりこの３穴電源コードを安全に使用できるように、制御ユニットは、２つのマイクロスイッチにより、活線接続端子を活線アクセス端子と電気的に接続し、中性線接続端子を中性線アクセス端子と電気的に接続する。
【００１０】
本発明の別の目的は、電源接続構造装置であって、３穴電源コードであってもよく、制御ユニットは、アース線プラグホールに設けられてもよく、絶縁プッシュ部材および２つの作動部材を備える、電源接続構造装置を提供することにある提供することにある。絶縁プッシュ部材が押されると、活線接続端子が活線アクセス端子と電気的に接続される一方で、中性線接続端子が中性線アクセス端子と電気的に接続されるように、２つの作動部材のそれぞれが２つのマイクロスイッチをオンにする。したがって、導電性物体が活線プラグホールまたは中性線プラグホールに挿入され受容された場合、または導電性物体が活線プラグホールおよび中性線プラグホールの両方に挿入された場合、または導電性物体がアース線プラグホールに挿入された場合、電気回路は接続状態にはならないことにより、３穴電源コードの安全な使用を確保する。
【００１１】
本発明の別の目的は、電源接続構造装置であって、３穴電源コードであってもよく、制御ユニットは、絶縁部材に防水シールが更に備えられてもよく、活線プラグホールおよび中性線プラグホールの周囲の内壁も防水性であってよい、電源接続構造装置を提供することにある。この３穴電源コードは、防水シールを受容するための中心孔と、活線接続端子、中性線接続端子、およびアース線接続端子のそれぞれが密封状に通過するための３つの連絡孔と、を有するパーティション構造を更に備える。したがって、活線プラグホール、中性線プラグホール、およびアース線プラグホールの全てが水で満たされている場合であっても、水がパーティション構造を通過して電気回路構造に接触することはないので、この３穴電源コードに防水効果が備えられ、人に対する電気ショックが防止される。
【００１２】
本発明の別の目的は、電源接続構造装置であって、ランプを電源と電気的に接続するためのランプソケットであってもよく、第１の電気接続ユニットおよび第２の電気接続ユニットが、それぞれ活線プラグコラムおよび中性線プラグコラムであってもよい、電源接続構造装置を提供することにある。活線プラグコラムと中性線プラグコラムとの一方が押された場合、または活線プラグコラムと中性線プラグコラムとの両方が押された場合、電気回路は接続状態にはならない。電気回路は、制御ユニットが作動する場合にのみ接続状態となるので、安全に使用することができ、人に対する電気ショックが防止される。
【００１３】
本発明の別の目的は、電源接続構造装置であって、電気器具を電源に電気的に接続するための電気ソケットであってよく、第１の電気接続ユニットおよび第２の電気接続ユニットが、それぞれ活線接続ユニットおよび中性線接続ユニットであってよく、導電性物体が活線接続ユニットおよび中性線接続ユニットのプラグホールのいずれか一方、または両方に挿入され受容された場合、電気回路は接続状態とならない、電源接続構造装置を提供することにある。電気回路は、制御ユニットが作動する場合にのみ接続状態となるので、安全に使用することができ、人に対する電気ショックが防止される。
【００１４】
本発明の別の目的は、電源接続構造装置であって、電気ソケットであってよく、制御ユニットは、アース線プラグホールに設けられ、フック解放機構を更に提供し、標準プラグのプラグピンがアース線プラグホールに挿入され受容された場合にのみ、プッシュ部材がマイクロスイッチを押して作動させるので、動作の安全性が更に確保される、電源接続構造装置を提供することにある。
【００１５】
本発明の別の目的は、電源接続構造装置であって、構造が単純であり、製造コストが低く、大量生産に適した電源接続構造装置を提供することにある。
【００１６】
本発明の追加の利点および特徴は、後述の詳細な説明により明らかとなり、添付の特許請求の範囲における手段および特定の項目の組み合わせによって実現され得る。
【００１７】
本発明によれば、上述の、およびその他の目的および利点は、電気器具を電源に電気的に接続するための電源接続構造装置であって、電源接続構造装置、電源、および電気器具を電気的に接続して電気回路を形成し、それにより電源が電気器具に電力を供給するように、第１の電気接続ユニットと、第２の電気接続ユニットと、第１および第２の電気接続ユニットが電源と接続されないアイドル状態と制御ユニットが第１および第２の制御ユニットを電源と電気的に接続する作動状態の間で切り替わる制御ユニットと、を備える電源接続構造装置によって構成される。
【００１８】
好ましくは、第１の電気接続ユニットは活線接続ユニットであり、第２の電気接続ユニットは中性線接続ユニットである。
【００１９】
好ましくは、この電源接続構造装置は、活線アクセス端子および中性線アクセス端子を備える電気回路構造を更に備える。制御ユニットは２つのマイクロスイッチを備え、制御ユニットが作動状態のときに、２つのマイクロスイッチの一方が活線接続ユニットを活線アクセス端子と電気的に接続し、もう一方のマイクロスイッチが中性線接続ユニットを中性線アクセス端子と電気的に接続し、それにより、電源接続構造装置、電気器具、および電源が電気的に接続され電気回路を形成する。
【００２０】
好ましくは、この電源接続構造装置は、３穴電源コードとして実装され、第１の電気接続ユニットは、活線プラグホールを有し活線接続端子を備える活線接続ユニットであり、第２の電気接続ユニットは、中性線プラグホールを有し中性線接続端子を備える中性線接続ユニットである。この電源接続構造装置は、アース線プラグホールを有しアース線接続端子を備えるアース線接続ユニットを更に備え、電気器具の３つのプラグピンが、それぞれ活線プラグホール、中性線プラグホール、およびアース線プラグホールに挿入され受容された場合、電気器具のこの３つのプラグピンは、それぞれ活線接続端子、中性線接続端子、およびアース線接続端子と電気的に接続される。
【００２１】
好ましくは、この電源接続構造装置は、ランプソケットとして実装され、電気器具は照明用ランプであり、第１の電気接続ユニットは活線プラグコラムであり、第２の電気接続ユニットは中性線プラグコラムである。
【００２２】
好ましくは、この電源接続構造装置は、ソケットとして実装され、第１の電気接続ユニットは、活線プラグホールを有し活線接続端子を備える活線接続ユニットであり、第２の電気接続ユニットは、中性線プラグホールを有し中性線接続端子を備える中性線接続ユニットである。この電源接続構造装置は、アース線プラグホールを有しアース線接続端子を備えるアース線接続ユニットを更に備え、電気器具の３つのプラグピンが、それぞれ活線プラグホール、中性線プラグホール、およびアース線プラグホールに挿入され受容された場合、電気器具のこの３つのプラグピンは、それぞれ活線接続端子、中性線接続端子、およびアース線接続端子と電気的に接続される。
【００２３】
好ましくは、制御ユニットはアース線接続ユニットと接続される。
【００２４】
好ましくは、制御ユニットは、プッシュ部材と、２つの作動部材と、を備え、この２つの作動部材はプッシュ部材と平行に、これと間隔を空けて接続される。２つのマイクロスイッチは、２つの作動部材がプッシュ部材によって移動のために駆動される場合、２つのマイクロスイッチが２つの作動部材によってそれぞれオンに切り替えられるように、２つの作動部材とそれぞれ接続される。その結果、活線接続端子および中性線接続端子と、活線アクセス端子および中性線接続端子の間の電気回路がそれぞれ接続される。
【００２５】
好ましくは、制御ユニットが再配置構造を更に備え、この再配置構造によって２つの作動部材が元の位置へと戻ることにより、２つのマイクロスイッチが２つの作動部材によってそれぞれオフとなるように駆動される。
【００２６】
好ましくは、この再配置構造は、起動部材の一方と接続された第１端部と、電気回路構造と接続された第２端部と、を有する２つのばねを備える。
【００２７】
好ましくは、起動部材の各々は、作動アームと、作動アームから延在する駆動アームと、を備え、作動アームは、プッシュ部材および再配置構造により、往復運動するよう駆動される。マイクロスイッチの各々は、弾性要素と、電気伝導要素である電気接続要素と、を備える。マイクロスイッチの各々は、活線接続端子および中性線接続端子と、活線アクセス端子および中性線アクセス端子のそれぞれの間の電気回路を電気的に接続するためのスイッチとして機能する。プッシュ部材が押されると、駆動アームを駆動して弾性要素を付勢するためにプッシュ部材によって作動アームが押され、このとき、活線接続端子および中性線接続端子と、活線アクセス端子および中性線アクセス端子のそれぞれの間の電気回路を電気接続要素が電気的に接続することを可能とするように、弾性要素が電気接続要素を移動させる。
【００２８】
好ましくは、制御ユニットは、保持ピボットと、保持要素とプッシュ部材の間に開口部が形成されるように保持ピボットと旋回可能および回転可能に接続された保持要素と、を備える。この保持要素はプッシュ部材に取り外し可能に搭載され、開口部にプラグピンが挿入された場合、マイクロスイッチをオンに切り替えるように起動部材を駆動させるように、プッシュ部材は保持要素から取り外される。
【００２９】
好ましくは、開口部の幅は、電気器具のプラグのプラグピンの幅と略等しい。
【００３０】
好ましくは、保持要素は、固定アームと、固定アームから延在する作動アームと、を備え、作動アームはプッシュ部材と取り外し可能に接続される。
【００３１】
好ましくは、作動アームには溝が設けられ、プッシュ部材には、作動アームがプッシュ部材と取り外し可能に接続されるように、この溝と取り外し可能に係合するように適合されたフックが設けられる。
【００３２】
好ましくは、電源接続構造装置は、制御ユニットおよび電気回路構造を受容するための受容空洞を画定するハウジングを備える。このハウジングはパーティション構造を備え、このパーティション構造の第１の側面に活線プラグホール、中性線プラグホール、およびアース線プラグホールが形成され、パーティション構造の対向する第２の側面に電気回路構造が設けられる。このパーティション構造は、制御ユニットと接続する中心孔と、活線接続端子、中性線接続端子、およびアース線接続端子のそれぞれが通過し、活線接続端子、中性線接続端子、およびアース線接続端子がパーティション構造と密封状態で形成されるようにするための３つの連絡孔と、を有する。
【００３３】
好ましくは、制御ユニットはアース線プラグホール内に設けられたシールを更に備え、このシールには、プッシュ部材の搭載のための位置調整部材が備えられており、シールと位置調整部材との間に受容区画が形成される。プッシュ部材は、押しアームと、押しアームから延在する保持アームと、を備え、位置調整部材は、位置調整用孔を有するパッド体を備え、保持アームは、位置調整用孔を通して受容区画内への挿入が可能である。
【００３４】
好ましくは、シール、位置調整部材、およびプッシュ部材は、防水処理された二酸化シリコンで作製される。
【００３５】
好ましくは、制御ユニットは、起動アームと、ストッパーアームと、を備える。プッシュ部材はスロットを備えて形成され、ストッパーアームが取り外しのために起動アームによって駆動されるように、ストッパーアームの第１端部はスロット内に取り外し可能に係合し、ストッパーアームの第２端部は起動アームに接続され、起動アームが照明用ランプに接続された場合、起動アームが押されて、ストッパーアームをプッシュ部材から取り外されるように移動させるので、プッシュ部材が起動部材に押圧力を印加してマイクロスイッチをオンに切り替えることができる。
【００３６】
好ましくは、マイクロスイッチの各々は金属製の弾性プレートであって、制御ユニットはプッシュ部材を備え、活線接続ユニットと活線アクセス端子の間の電気回路、および中性線接続ユニットと中性線アクセス端子の間の電気回路をそれぞれ電気的に接続するために、マイクロスイッチがプッシュ部材の駆動操作に応答してオンに切り替わるように、マイクロスイッチはプッシュ部材と接続される。
【００３７】
本発明の別の態様によれば、本発明は、電源接続構造装置の製造方法を提供し、この方法は以下のステップを備える。
【００３８】
（ａ）表面に活線プラグホール、中性線プラグホール、およびアース線プラグホールを有し、内部に受容空洞を画定するハウジングを提供するステップ。
【００３９】
（ｂ）活線接続端子、中性線接続端子、およびアース線接続端子を、活線プラグホール、中性線プラグホール、およびアース線プラグホールのそれぞれと接続し、受容空洞内に、活線アクセス端子および中性線アクセス端子を備える電気回路構造を配置するステップ。
【００４０】
２つのマイクロスイッチを備える制御ユニットを構成するステップであって、２つのマイクロスイッチがオンに切り替わった場合、電源接続構造装置、電源、および電気器具の間の電気回路が接続されるように、２つのマイクロスイッチの一方が活線接続端子を活線アクセス端子と電気的に接続し、もう一方のマイクロスイッチが中性線接続端子を中性線アクセス端子と電気的に接続するステップ。
【００４１】
本発明の別の態様によれば、本発明は、電源接続構造装置を介して電気器具を電源と電気的に接続するための方法を提供し、この方法は以下のステップを備える。
【００４２】
（ｉ）電気器具の３つのプラグピンを活線接続端子、中性線接続端子、およびアース線接続端子のそれぞれと電気的に接続するため、３つのプラグピンを、活線プラグホール、中性線プラグホール、およびアース線プラグホールのそれぞれに受容するステップ。
【００４３】
（ｉｉ）電源接続構造装置、電源、および電気器具の間の電気回路を接続するために、活線接続端子を活線アクセス端子と電気的に接続し、中性線接続端子を中性線アクセス端子と電気的に接続するように、３つのプラグピンのうちの１つが制御ユニットのプッシュ部材を押した場合に、２つのマイクロスイッチをオンに切り替えるために２つの作動部材を駆動するステップ。
【００４４】
本発明は、２つの電気接続ユニットの両方および制御ユニットが作動中である場合に電気回路が接続されることが可能であり、そのため、人に対する電気ショックが防止されるように、２つの電気接続ユニットが電源と直接的に接続されておらず、制御ユニットの制御下にあるという点で有利である。加えて、制御ユニットのパーティション構造および防水シールの導入が、本発明の電源接続構造装置に防水効果を与えることを可能とする。
【００４５】
更なる目的および利点については、以下の詳細な説明および図面を検討することにより明らかとなるであろう。
【００４６】
本発明のこれらの、および他の目的、特徴、および利点は、以下の詳細な説明、添付図面、および特許請求の範囲から明らかとなるであろう。
【図面の簡単な説明】
【００４７】
【図１】本発明の第１の好適な実施形態による電源接続構造装置の斜視図である。
【図２】本発明の上記第１の好適な実施形態による電源接続構造装置の分解図である。
【図３】本発明の上記第１の好適な実施形態による電源接続構造装置の背面図である。
【図４】本発明の上記第１の好適な実施形態によるアイドル状態の電源接続構造装置を示す概略図である。
【図５】本発明の上記第１の好適な実施形態による作動状態の電源接続構造装置を示す概略図である。
【図６】本発明の上記第１の好適な実施形態による電源接続構造装置のパーティション構造を示す概略図である。
【図７】本発明の上記第１の好適な実施形態による電源接続構造装置の制御ユニットを示す分解図である。
【図８】本発明の第２の好適な実施形態による電源接続構造装置の斜視図である。
【図９】本発明の上記第２の好適な実施形態による電源接続構造装置の分解図である。
【図１０】本発明の上記第２の好適な実施形態による作動状態の電源接続構造装置を示す概略図である。
【図１１】本発明の上記第２の好適な実施形態の代替の態様による電源接続構造装置の斜視図である。
【図１２】本発明の上記第２の好適な実施形態の代替の態様による電源接続構造装置の分解図である。
【図１３】本発明の上記第２の好適な実施形態の代替の態様による作動状態の電源接続構造装置を示す概略図である。
【図１４】本発明の上記第２の好適な実施形態の別の代替の態様による電源接続構造装置の斜視図である。
【図１５】本発明の上記第２の好適な実施形態の別の代替の態様による電源接続構造装置の断面図である。
【図１６】本発明の上記第２の好適な実施形態の別の代替の態様による電源接続構造装置のハウジングのパーティション構造を示す概略図である。
【図１７】本発明の第３の好適な実施形態による電源接続構造装置の斜視図である。
【図１８】本発明の上記第３の好適な実施形態による電源接続構造装置の分解図である。
【図１９】本発明の上記第３の好適な実施形態による電源接続構造装置のプラグホール内に挿入される途中の電気器具のプラグピンを示す概略図である。
【図２０】本発明の上記第３の好適な実施形態による電源接続構造装置のプラグホール内に挿入された電気器具のプラグピンを示す概略図である。
【図２１】本発明の上記第３の好適な実施形態の別の代替の態様による電源接続構造装置の斜視図である。
【発明を実施するための形態】
【００４８】
以下の説明は、当業者が本発明を作製し使用することを可能とするために開示される。以下の説明においては、単なる例として好適な実施形態が提供されるが、当業者にとっては修正例が明らかであろう。以下の説明において定義される一般的原理は、本発明の趣旨および範囲から逸脱することなく、他の実施形態、代替手段、修正例、均等物、および応用物にも適用されうる。
【００４９】
図面の図１〜図７を参照して、電気器具を電源と電気的に接続するために使用される、本発明の第１の好適な実施形態による電源接続構造装置が示される。本電源接続構造装置は、第１の電気接続ユニット１０と、第２の電気接続ユニット２０と、制御ユニット３０と、を備える。制御ユニット３０は、第１の電気接続ユニット１０および第２の電気接続ユニット２０を電源と電気的に接続するので、制御ユニット３０が作動状態にある場合、電源接続構造装置、電気器具、および電源の間の電気回路が接続され、それにより電源が電気器具に電力を供給することを可能となる。
【００５０】
第１の電気接続ユニット１０および第２の電気接続ユニット２０は、電源と電気的に接続して電気回路を形成するように構成される。この電源はＤＣ電源であってもよく、第１の電気接続ユニット１０および第２の電気接続ユニット２０は、それぞれ、ＤＣ電源の正極および負極と電気的に接続するように構成することができる。本発明のこの好適な実施形態によれば、この電源はＡＣ電源であり、第１の電気接続ユニット１０および第２の電気接続ユニット２０は、それぞれ、活線接続ユニットおよび中性線接続ユニットである。
【００５１】
本電源接続構造装置は、電気回路基板として実装されてよい電気回路構造４０を更に備え、活線アクセス端子４１および中性線アクセス端子４２を更に備える。制御ユニット３０は、２つのマイクロスイッチ３２を制御する。制御ユニット３０が作動状態にある場合、電源接続構造装置、電気器具、および電源が互いに電気的に接続されて電気回路を形成するように、２つのマイクロスイッチ３２が、それぞれ、活線接続ユニット１０と活線アクセス端子４１、および、中性線接続ユニット２０と中性線アクセス端子４２を電気的に接続する。
【００５２】
より具体的には、本発明のこの好適な実施形態の電源接続構造装置は、コンピュータおよびプリンタといったオフィス設備、並びに、炊飯器および給湯器といった家庭用電気器具と共に広く用いられる３穴電源コードであってもよいが、これに限定されることはない。第１の電気接続ユニット１０は、活線プラグホール１１を有し、活線プラグホール１１と電気的に接続される活線接続端子１２を備える、活線接続ユニットである。第２の電気接続ユニット２０は、中性線プラグホール２１を有し、中性線プラグホール２１と電気的に接続される中性線接続端子２２を備える、中性線接続ユニットである。したがって、３相電源コードである３穴電源コードは、アース線プラグホール５１を有し、アース線プラグホール５１と電気的に接続されるアース線接続端子５２を備えるアース線接続ユニット５０を更に備える。したがって、電気器具の３つのプラグピンがそれぞれ活線プラグホール１１、中性線プラグホール２１、およびアース線プラグホール５１に挿入され受容された場合、電気器具のプラグピンはそれぞれ、活線接続端子１２、中性線接続端子２２、およびアース線接続端子５２と電気的に接続される。
【００５３】
この好適な実施形態によれば、電源接続構造装置は３穴電源コードとして実装されることが可能であり、制御ユニットが作動状態にある場合、電源接続構造装置、電気器具、および電源の間の電気回路が接続され、それにより電源が電気器具に電力を供給することが可能となるように、制御ユニット３０が活線接続ユニット１０および中性線接続ユニット２０を電源に電気的に接続する。
【００５４】
したがって、この３穴電源コードは、活線アクセス端子４１および中性線アクセス端子４２を含む電気回路構造４０を更に備える。制御ユニット３０は、２つのマイクロスイッチ３２を制御する。制御ユニット３０が作動状態にある場合、電源接続構造装置、電気器具、および電源の間の電気回路が電気的に接続された状態となるように、２つのマイクロスイッチ３２の一方が、活線接続ユニット１０と活線アクセス端子４１を電気的に接続し、マイクロスイッチ３２のもう一方が、中性線接続ユニット２０と中性線アクセス端子４２を電気的に接続する。
【００５５】
より具体的には、図面の図４および図５に示されるように、制御ユニット３０がアイドル状態にある場合、たとえプラグピンが活線プラグホール１１および中性線プラグホール２１のそれぞれに挿入・受容されて、プラグピンが活線接続端子１２および中性線接続端子２２のそれぞれと電気的に接続されたとしても、活線接続端子１２および中性線接続端子２２が電気回路構造４０の活線アクセス端子４１および中性線アクセス端子４２のそれぞれと電気的に接続されない限り、電気回路は電気的に接続された状態とならない。
【００５６】
制御ユニット３０が作動状態にある場合、電源接続構造装置と電気器具の間の電気回路が電気的に接続されるように、活線接続端子１２および中性線接続端子２２がプラグピンと電気的に接続され、制御ユニット３０は、活線接続端子１２と中性線接続端子２２の間、および電気回路構造４０の活線アクセス端子４１と中性線アクセス端子４２の間にそれぞれ設けられた２つのマイクロスイッチ３１を電気的にオンに切り替えるように構成される。電源が電源接続構造装置と電気的に接続されると、電気器具に作動のための電力が供給される。
【００５７】
制御ユニット３０が２つのマイクロスイッチのオン・オフを切り替えるための機構は、様々な様式で実装可能である。この好適な実施形態によれば、図面の図２に示されるとおり、アース線接続ユニット５０と接続された制御ユニット３０は、プッシュ部材３２と、往復運動を提供することが可能な２つの作動部材３３と、を備える。２つの作動部材３３は、プッシュ部材３２と平行に、これと間隔を空けて接続される。２つの作動部材３３がプッシュ部材３２によって移動のために駆動される場合、活線接続端子１２および中性線接続端子２２と、活線アクセス端子４１および中性線アクセス端子４２が電気的に接続されるように、２つのマイクロスイッチ３１が２つの作動部材によってそれぞれがオンに切り替わるように駆動されるように、２つのマイクロスイッチ３１は２つの作動部材３３とそれぞれ接続される。この好適な実施形態において、プッシュ部材３２は押し軸（ｐｕｓｈ  ｓｈａｆｔ）として実装可能である。
【００５８】
制御ユニット３０は、再配置構造３４を更に備える。２つのマイクロスイッチ３１のそれぞれが２つの作動部材３３によってオフ状態へと切り替えられるように、２つの作動部材３３は、この再配置構造３４によって元の位置へと戻る。
【００５９】
より具体的には、この再配置構造３４は、２つのばね３４１を備える弾性構造として実装される。各々のばね３４１の第１端部は作動部材３３と接続され、第２端部は電気回路構造４０またはハウジングに接続されることが可能である。したがって、この好適な実施形態においてはアース線接続プラグピンである電気器具のプラグピンがアース線プラグホール５１に挿入され受容された場合、２つのマイクロスイッチがオンに切り替えられて、活線接続端子１２を活線アクセス端子４１と電気的に接続し、中性線接続端子２２を中性線アクセス端子と電気的に接続することができるように、プッシュ部材３２が２つの作動部材３３を押し、２つのばねが圧縮される。電気器具のプラグピンがアース線プラグホール５１から取り外された場合、２つの作動部材３３のそれぞれが元の位置へと戻され、次いで２つのマイクロスイッチ３１がオフ状態となるように、プッシュ部材３２が解放され、２つのばね３４１がそれぞれ元の位置へと戻り、このとき、活線接続端子１２は活線アクセス端子４１との電気的な接続を断たれ、中性線接続端子２２は中性線アクセス端子４２との電気的な接続を絶たれる。
【００６０】
別の言い方をすれば、電気器具のプラグピンと活線接続端子１２および中性線接続端子２２の間の電気接続だけでは、電気器具と本発明の電源接続構造装置の間の電気回路のスイッチを切り替えること、すなわち電気的に接続することはできない。アース線接続ユニット５０と接続された制御ユニット３０が２つのマイクロスイッチをオンに切り替えるように起動された場合にのみ、電気器具と本発明の電源接続構造装置の間の電気回路が切り替えられ、電気的に接続される。好ましくは、プッシュ部材３２および作動部材３３は絶縁材料で作製される。
【００６１】
図面の図４および図５を参照すると、より具体的には、作動部材３３の各々は、作動アーム３３１と、作動アーム３３１から延在する駆動アーム３３２と、を備える。作動アーム３３１は、プッシュ部材３２および再配置構造３４によって、往復運動するように駆動される。マイクロスイッチ３１の各々は、ばねであってもよい弾性要素３１１と、電気伝導要素であってもよい電気接続要素３１２と、を備えてもよい。マイクロスイッチ３１の一方は、活線接続端子１２を活線アクセス端子４１と電気的に接続するためのスイッチとして機能し、マイクロスイッチ３１のもう一方は、中性線接続端子２２を中性線アクセス端子４２と電気的に接続するためのスイッチとして同様に機能する。
【００６２】
換言すれば、プッシュ部材３２が押されると、作動アーム３３１が、プッシュ部材３２によって駆動されて、駆動アーム３３２のそれぞれが弾性要素３１１を押すように駆動し、次いで、弾性要素３１１のそれぞれが電気接続要素３１２を移動させることにより、活線接続端子１２を活線アクセス端子４１と電気的に接続し、中性線接続端子２２を中性線アクセス端子４２と電気的に接続する。
【００６３】
図面の図３を参照すると、電気回路構造４０は、活線接続端子１２および中性線接続端子２２と電気的に接続され、第１の表示ランプと電気的に接続された、第１の電気接続構造４３を更に備える。３穴電源コードが電源および電気器具と電気的に接続され、電気器具のプラグピンが活線プラグホール１１および中性線プラグホール２２にそれぞれ挿入され受容された場合、制御ユニット３０が作動することなく第１の電気接続構造４３が電気的に接続されると、第１の表示ランプが点灯する。電気回路構造４０は、電気回路構造４０の活線アクセス端子４１および中性線アクセス端子４２と接続された第２の電気接続構造４４を更に備え、第２の表示ランプが第２の電気接続構造４４と電気的に接続され、制御ユニット３０がマイクロスイッチ３１をオンに切り替えるように操作された場合、第２の電気接続構造４０が電源と電気的に接続されると、第２の表示ランプが点灯する。
【００６４】
例えば、第１の表示ランプは緑色の信号ランプであってよく、第２の表示ランプは赤色の信号ランプであってよい。活線プラグホール１１および中性線プラグホール２１に導電性物体が挿入された場合、緑色信号ランプが緑色光を発するが、人に対する電気ショックを防止できるように、装置と電源の間の電気回路は接続されない。活線プラグホール１１および中性線プラグホール２１が挿入される導電性物体を受容し、同時に、２つのマイクロスイッチ３１をオンに切り替えるために剛性物体がプッシュ部材３２を押した場合、装置と電源の間の電気回路は電気的に接続され、赤色信号ランプが赤色光を発する。
【００６５】
別の言い方をすれば、従来の３穴電源コードと比較すると、本発明の３穴電源コードには、制御ユニット３０が追加的に設けられる。電源、３穴電源コード、および電気器具の間の電気回路が接続され、したがって電気器具が電力供給を受けることを可能とするために、この３穴電源コードは、制御ユニット３０の作動の下でのみ、活線および中性線を電気的に接続することができる。制御ユニット３０の構成により、子どもが活線プラグホール１１および中性線プラグホール２１に導電性物体を挿入した場合、電気回路は接続されず、人に対する電気ショックが防止される。加えて、制御ユニット３０はアース線接続ユニットと接続されて、コンパクトな一体構造を提供する。
【００６６】
本電源接続構造装置は、防水性を備える。図面の図６を参照すると、本電源接続構造装置、すなわち３穴電源コードは、制御ユニット３０および電気回路構造４０を受容するための受容空洞６１を画定するハウジング６０を備える。
【００６７】
ハウジング６０はパーティション構造６２を備え、このパーティション構造６２の第１の側面に活線プラグホール１１、中性線プラグホール２１、およびアース線プラグホール５１が形成され、パーティション構造６２の第１の側面に対向する第２の側面に電気回路構造４０が設けられる。パーティション構造６２は、制御ユニット３１との接続のための中心孔６２１と、活線接続端子１２、中性線接続端子２２、およびアース線接続端子５２が密封状態で通過するための３つの連絡孔６２２と、を有する。
【００６８】
図面の図７を参照すると、制御ユニット３０は、アース線プラグホール５１内に設けられたシール３５を更に備える。好ましくは、シール３５は防水処理された二酸化シリコンで作製される。シール３５は、プッシュ部材３２を搭載するための位置調整部材３６に接続されることが可能である。シール３５と位置調整部材３６の間には受容区画３５１が形成される。
【００６９】
より具体的には、プッシュ部材３２は、押しアーム３１１と、押しアーム３１１から延在する保持アーム３２２と、を備える。位置調整部材３６は、位置調整用孔３６２を有するパッド体３６１を備える位置調整パッドであってよく、保持アーム３２２は位置調整用孔３６２を通して受容区画内への挿入が可能である。電気器具のプラグピンがアース線プラグホール５１に挿入され受容されると、プラグピンが保持アーム３２２を内側に動かすように押し、それにより、押しアーム３２１が２つの作動部材３３に対してそれぞれが２つのマイクロスイッチ３１をオンに切り替えるように押圧力を印加する。
【００７０】
アース線プラグホールに隣接するシール３５の端部は封止されているため、たとえ３穴電源コードが水に浸かったとしても、水はパーティション構造６２の中心孔６２１を通過することはなく、電気回路構造４０に隣接する反対側面に到達することもない。加えて、活線プラグホール１１、中性線プラグホール２１、およびアース線プラグホール５１の周囲の内壁は全て、プラスチック材料などの防水性材料で形成される。活線接続端子１２、中性線接続端子２２、およびアース線接続端子５２は、それぞれ連絡孔を通過してパーティション構造６２と密封状に接続されるため、活線プラグホール１１、中性線プラグホール２１、およびアース線プラグホール５１の全てが水で満たされた場合、水がパーティション構造６２を通過して電気回路構造４０に接触することはないので、この３穴電源コードに防水効果が備えられ、したがって人に対する電気ショックが防止される。
【００７１】
したがって、本発明の電源接続構造装置の製造方法は、電気器具を電源に電気的に接続するように適用されており、３穴電源コードとして実現され、以下のステップを備える。
【００７２】
（ａ）その上に、活線プラグホール１１、中性線プラグホール２１、及びアース線プラグホール５１を有するハウジング６０を設け、その中に受容空洞６１を画定する。
【００７３】
（ｂ）活線接続端子１２、中性線接続端子２２、及びアース線接続端子５２を、活線プラグホール１１、中性線プラグホール２１、及びアース線プラグホール５１にそれぞれ接続し、受容空洞６１中に電気回路構造４０を配置し、電気回路構造４０は、活線アクセス端子４１及び中性線アクセス端子４２を備える。
【００７４】
（ｃ）２つのマイクロスイッチ３１を備える制御ユニット３０を構成し、２つのマイクロスイッチ３１がオンに切り替えられているとき、電源接続構造装置、電源、及び電気器具の間の電気回路が、電気的に接続されるように、２つのマイクロスイッチ３１の一方は、活線アクセス端子４１に活線接続端子１２を電気的に接続し、もう一方のマイクロスイッチ３１は、中性線アクセス端子に中性線接続端子２２を電気的に接続する。
【００７５】
ステップ（ｃ）において、アース線接続ユニット５０に接続された制御ユニット３０は、プッシュ部材３２、及び往復運動を提供することが可能な２つの作動部材３３を備える。２つの作動部材３３は、平行に、これと間隔を空けて、プッシュ部材３２に接続されている。２つの作動部材３３が、前記プッシュ部材３２によって移動するように駆動されると、２つのマイクロスイッチ３１が、２つの作動部材３３によってオンに切り替えるようにそれぞれ駆動されるように、２つのマイクロスイッチ３１は、２つの作動部材３３にそれぞれ接続されている。制御ユニット３０は、再配置構造３４を更に備える。２つのマイクロスイッチ３１が、２つの作動部材３３によって、オフに切り替えられるようにそれぞれ駆動されるように、２つの作動部材３３は、再配置構造３４によって、それらの元の位置に戻る。
【００７６】
より具体的には、この再配置構造３４は、２つのばね３４１を備える弾性構造である。各々のばね３４１の第１端部は作動部材３３と接続され、第２端部は電気回路構造４０またはハウジングに接続されることが可能である。したがって、２つのマイクロスイッチがオンに切り替えられて、活線アクセス端子４１に活線接続端子１２を電気的に接続し、中性線アクセス端子に中性線接続端子２２を電気的に接続するように、プッシュ部材３２が２つの作動部材３３を押すとき、２つのばねが圧縮される。
【００７７】
ステップ（ｃ）において、制御ユニット３０は、アース線プラグホール５１内に設けられたシール３５を更に備える。好ましくは、シール３５は防水処理された二酸化シリコンで作製される。シール３５は、プッシュ部材３２を搭載するための位置調整部材３６に接続されることが可能である。シール３５と位置調整部材３６の間には受容区画３５１が形成される。プッシュ部材３２は、押しアーム３１１と、押しアーム３１１から延在する保持アーム３２２と、を備える。位置調整部材３６は、位置調整用孔３６２を有するパッド体３６１を備える位置調整パッドであってよく、保持アーム３２２は位置調整用孔３６２を通して受容区画３５１内への挿入及び受容が可能である。電気器具のプラグピンがアース線プラグホール５１に挿入され受容されると、プラグピンが保持アーム３２２を内側に動かすように押し、それにより、押しアーム３２１が２つの作動部材３３に対して押圧力を印加し、それぞれが２つのマイクロスイッチ３１をオンに切り替える。
【００７８】
したがって、本発明の電源接続構造装置が、３穴電源コードとして実現される場合に、電源に電気器具を電気的に接続するための方法が提供され、方法は、以下のステップを備える。
【００７９】
（ｉ）電気器具の３つのプラグピンを、活線プラグホール１１、中性線プラグホール２１、及びアース線プラグホール５１中でそれぞれ受容し、電気器具の３つのプラグピンを、活線接続端子１２、中性線接続端子２２、及びアース線接続端子５２にそれぞれ接続する。
【００８０】
（ｉｉ）３つのプラグピンのうちの１つが、制御ユニット３０のプッシュ部材３２を押すと、２つの作動部材３３を駆動して、２つのマイクロスイッチ３１をオンに切り替え、それにより、電源接続構造装置、電源、及び電気器具の間の電気回路が、電気的に接続されるように、活線接続端子１２を活線アクセス端子４１に電気的に接続し、中性線接続端子２２を中性線アクセス端子４２に電気的に接続する。
【００８１】
電気器具の３つのプラグピンが、活線プラグホール１１、中性線プラグホール２１、及びアース線プラグホール５１からそれぞれ抜かれると、再配置構造３４の制御の下、プッシュ部材３２は、その元の位置に戻る。
【００８２】
図面の図８から１０を参照すると、本発明の第２の好適な実施形態に従った電源接続構造装置は、ランプソケットとして実現され、これは、図示するように、ＡＣ電源である電源に照明用ランプを電気的に接続するための２相電源接続構造装置である。第２の好適な実施形態の電源接続構造装置は、第１の電気接続ユニット１０Ａ、第２の電気接続ユニット２０Ａ、制御ユニット３０Ａを備える。制御ユニット３０Ａが作動状態のときに、制御ユニット３０Ａは、第１及び第２の電気接続ユニット１０Ａ、２０Ａを、電源に電気的に接続し、それゆえ、電源接続構造装置、照明用ランプ、及び電源間の電気回路が接続され、したがって、電源が照明用ランプに電力を供給する。
【００８３】
図面の図９を参照すると、第１及び第２の電気接続ユニット１０Ａ、２０Ａは、活線プラグコラム、中性プラグコラムであり、これらは、それぞれ押下されて、活線接続端子１２Ａ及び中性線接続端子２２Ａにそれぞれ電気的に接続する。電源接続構造装置は、活線アクセス端子４１Ａ及び中性線アクセス端子４２Ａを備える電気回路構造４０Ａを更に備える。制御ユニット３０Ａは、２つのマイクロスイッチ３２Ａを制御する。制御ユニット３０Ａが、作動状態のときに、２つのマイクロスイッチ３２Ａは、第１の電気接続ユニット１０Ａを、活線アクセス端子４１Ａに電気的に接続し、第２の電気接続ユニット２０Ａを、中性線アクセス端子４２Ａに接続し、それゆえ、電源接続構造装置、照明用ランプ、及び電源間の電気回路が接続される。
【００８４】
本発明の代替モードに従った、図面の図１１から１３を参照すると、制御ユニット３０Ｂは、プッシュ部材３２Ｂ、及び往復運動を提供することが可能な２つの作動部材３３Ｂを備える。２つの作動部材３３Ｂは、平行に、これと間隔を空けて、プッシュ部材３２Ｂに接続されている。２つの作動部材３３Ｂが、前記プッシュ部材３２Ｂによって動くように駆動されると、２つのマイクロスイッチ３１Ｂが、２つの作動部材３３Ｂによってオンに切り替えられるようにそれぞれ駆動されるように、２つのマイクロスイッチ３１Ｂは、２つの作動部材３３Ｂにそれぞれ接続されている。それにより、活線接続端子１２Ｂを活線アクセス端子４１Ｂに電気的に接続し、中性線接続端子２２Ｂを中性線アクセス端子４２Ｂに電気的に接続する。この第２の好適な実施形態において、プッシュ部材３２Ｂは、押し軸として実現されうることに留意すべきである。
【００８５】
図面の図１２に示したように、制御ユニット３０Ｂは、再配置構造３４Ｂを更に備えることに留意すべきである。２つのマイクロスイッチ３１Ｂが、２つの作動部材３３Ｂによって、オフに切り替えられるようにそれぞれ駆動されるように、２つの作動部材３３Ｂは、再配置構造３４Ｂによって、それらの元の位置に戻る。第１及び第２の電気接続ユニット１０Ｂ、２０Ｂ、すなわち、活線プラグコラム、中性プラグコラムもばね部材７０Ｂにそれぞれ接続される。
【００８６】
より具体的には、この再配置構造３４Ｂは、２つのばね３４１Ｂを備える弾性構造である。各々のばね３４１Ｂの第１端部は作動部材３３Ｂと接続され、各々のばね３４１Ｂの第２端部は電気回路構造４０Ｂまたはハウジングに接続されることが可能である。したがって、２つのマイクロスイッチ３１Ｂが、それぞれオンに切り替えられて、活線アクセス端子４１Ｂに活線接続端子１２Ｂを電気的に接続し、中性線アクセス端子４２Ｂに中性線接続端子２２Ｂを電気的に接続するように、プッシュ部材３２Ｂが、２つの作動部材３３Ｂを押すとき、２つのばねが圧縮される。照明用ランプがランプソケットから取り外されると、プッシュ部材３２Ｂが開放され、２つのばね３４１Ｂは、それぞれ、それらの元の位置に戻り、２つの作動部材３３Ｂは、それぞれ、それらの元の位置に戻るように駆動され、２つのマイクロスイッチ３１Ｂが、それぞれオフに切り替えられ、それにより、活線接続端子１２Ｂが活線アクセス端子４１Ｂから電気的に切断され、中性線接続端子２２Ｂが中性線アクセス端子４２Ｂから電気的に切断される。
【００８７】
図面の図１４から１６を参照すると、本発明の別の好適な実施形態従い制御ユニット３０Ｃが図示される。制御ユニット３０Ｃは、起動機構を備える。より具体的には、制御ユニットは、起動アーム３７Ｃと、ストッパーアーム３８Ｃとを備える。プッシュ部材３２Ｃはスロット３２３Ｃを備え、ストッパーアーム３８Ｃの第１端部はスロット３２３Ｃ内に取り外し可能に係合する。ストッパーアーム３８Ｃが取り外しのために起動アーム３７Ｃによって駆動されるように、ストッパーアーム３８Ｃの第２端部は起動アーム３７Ｃに垂直に接続される。したがって、照明用ランプに接続された場合に、プッシュ部材３２Ｃが起動部材３３Ｃに押圧力を印加してマイクロスイッチをオンに切り替えるように、起動アーム３７Ｃが押されて、プッシュ部材３２Ｃから取り外されるように、ストッパーアームを移動のために駆動させる。それにより、ランプソケットの安全な使用が更に確保され、人に対する電気ショックが防止される。
【００８８】
更に、ランプソケット６０Ｃは、防水処理された素材でできたパーティション構造６２Ｃを備えるハウジング６０Ｃを備える。電気回路構造４０Ｃ及びランプソケットのプラグコラムが、パーティション構造６２Ｃの２つの反対の側面に設けられる。更に、ランプソケットに防水機能を付与するように、ハウジング６０Ｃは、電気回路構造４０Ｃに隣接するランプソケットの側面に水が入り込むことを防止するための、複数の防水処理された二酸化シリコンシール６３Ｃを更に備える。
【００８９】
図面の図１７から２０を参照すると、本発明の第３の好適な実施形態従い電気ソケットとして実現される電源接続構造装置が図示される。好ましくは、電気ソケットは、３穴の電気ソケットでありうる。電源接続構造装置は、第１の電気接続ユニット１０Ｄと、第２の電気接続ユニット２０Ｄと、制御ユニット３０Ｄとを備える。制御ユニット３０Ｄが作動状態のときに、制御ユニット３０Ｄは、第１及び第２の電気接続ユニット１０Ｄ，２０Ｄを、電源に接続し、それにより、電源接続構造装置、電源、及び電気器具の間の電気回路が接続され、したがって、電源が電気器具に電気を供給する。
【００９０】
第１の電気接続ユニット１０Ｄは、活線プラグホール１１Ｄを有し、活線接続端子１２Ｄを備える活線接続ユニットである。第２の電気接続ユニット２０Ｄは、中性線プラグホール２１Ｄを有し、中性線接続端子２２Ｄを備える中性接続ユニットである。したがって、３相電気ソケットである３穴の電気ソケットは、アース線プラグホール５１Ｄを有し、アース線接続端子５２Ｄを備える、アース線接続ユニット５０Ｄを更に備える。したがって、図面の図２０に示したように、電気器具のプラグピンが、活線プラグホール１１Ｄ、中性線プラグホール２１Ｄ、及びアース線プラグホール５１Ｄにそれぞれ挿入され、受容されると、電気器具のプラグピンは、活線接続端子１２Ｄ、中性線接続端子２２Ｄ、及びアース線接続端子５２Ｄ中でそれぞれ電気的に接続される。
【００９１】
第１及び第２の電気接続ユニット１０Ｄ，２０Ｄは、電気回路を形成するための電源に対して電気的に接続するように構成されている。電源は、ＤＣ電源であってもよく、それゆえ、第１及び第２の電気接続ユニット１０Ｄ，２０Ｄはそれぞれ、ＤＣ電源の正負の電極に電気的に接続されるように構成されている。本発明のこの好適な実施形態に従うと、電源はＡＣ電源であり、第１及び第２の電気接続ユニット１０Ｄ，２０Ｄはそれぞれ、活線接続ユニット及び中性線接続ユニットである。
【００９２】
本実施形態では、電源接続構造装置は、電気回路基板として実現されてもよく、活線アクセス端子４１Ｄ及び中性線接続端子４２Ｄを備える、電気回路構造４０Ｄを更に備える。制御ユニット３０Ｄは、２つのマイクロスイッチ３２Ｄを制御する。制御ユニット３０が、作動状態のときに、電源接続構造装置、電気器具、及び電源の間の電気回路が接続されるように、２つのマイクロスイッチ３２Ｄの一方は、活線アクセス端子４１Ｄに活線接続ユニット１０Ｄを電気的に接続し、もう一方のマイクロスイッチ３２Ｄは、中性線アクセス端子４２Ｄに中性線接続ユニット２０Ｄを電気的に接続する。
【００９３】
第１の電気接続ユニット１０Ｄは、活線プラグホール１１Ｄを有し、活線接続端子１２Ｄを備える活線接続ユニットである。第２の電気接続ユニット２０Ｄは、中性線プラグホール２１Ｄを有し、中性線接続端子２２Ｄを備える中性接続ユニットである。したがって、３相電気ソケットである３穴の電気ソケットは、アース線プラグホール５１Ｄを有し、アース線接続端子５２Ｄを備える、アース線接続ユニット５０Ｄを更に備える。したがって、電気器具のプラグピンが、活線プラグホール１１Ｄ、中性線プラグホール２１Ｄ、及びアース線プラグホール５１Ｄにそれぞれ挿入され、受容されると、電気器具のプラグピンは、活線接続端子１２Ｄ、中性線接続端子２２Ｄ、及びアース線接続端子５２Ｄ中で電気的に接続される。
【００９４】
したがって、３穴の電気ソケットは、活線アクセス端子４１Ｄ及び中性線接続端子４２Ｄを備える、電気回路構造４０Ｄを更に備える。制御ユニット３０Ｄは、２つのマイクロスイッチ３２Ｄを制御する。制御ユニット３０が作動状態のときに、電源接続構造装置、電気器具、及び電源の間の電気回路が接続されるように、２つのマイクロスイッチ３２Ｄの一方は、活線アクセス端子４１Ｄに活線接続ユニット１０Ｄを電気的に接続し、もう一方のマイクロスイッチ３２Ｄは、中性線アクセス端子４２Ｄに中性線接続ユニット２０Ｄを電気的に接続する（これは、上記の第１の好適な実施形態に類似する）。
【００９５】
より具体的には、図面の図１９及び２０に示したように、制御ユニット３０Ｄがアイドル状態であるとき、プラグピンは、活線プラグホール１１Ｄ及び中性線プラグホール２１Ｄ中に単に挿入され、受容され、プラグピンは、活線接続端子１２Ｄ及び中性線接続端子２２Ｄにそれぞれ電気的に接続される。しかしながら、電源接続構造装置、電気器具、及び電源の間の電気回路が電気的に接続されないように、活線接続端子１２Ｄ及び中性線接続端子２２Ｄは、電気回路構造４０Ｄの活線アクセス端子４１Ｄ及び中性線接続端子４２Ｄには、それぞれ電気的に接続されない。
【００９６】
制御ユニット３０Ｄが作動状態のときに、活線接続端子１２Ｄ及び中性線接続端子２２Ｄは、プラグピンにそれぞれ電気的に接続され、制御ユニット３０Ｄは、活線及び中性線接続端子１２Ｄ、２２Ｄ、ならびに、電気回路構造４０Ｄの活線アクセス端子４１Ｄ及び中性線接続端子４２Ｄの間の２つのマイクロスイッチ３１Ｄをそれぞれオンに切り替えるように構成されており、それにより、電源接続構造装置、電気器具の間の電気回路が接続される。電源が、電源接続構造装置に電気的に接続されると、電気器具は動作のための電力を供給される。
【００９７】
２つのマイクロスイッチ３１Ｄをオンまたはオフに切り替える制御ユニット３０Ｄの機構は、様々な方法で実現されてもよいことに留意すべきである。本発明のこの好適な実施形態にしたがうと、図面の図１７〜２０に示したように、アース線接続ユニット５０Ｄに接続された制御ユニット３０Ｄは、プッシュ部材３２Ｄ、及び往復運動を提供することが可能な２つの作動部材３３Ｄを備える。２つの作動部材３３Ｄは、平行に、これと間隔を空けて、プッシュ部材３２Ｄに接続されている。活線アクセス端子４１Ｄに活線接続端子１２Ｄが電気的に接続され、中性線アクセス端子４２Ｄに中性線接続端子２２Ｄが電気的に接続されるように、２つの作動部材３３Ｄが、前記プッシュ部材３２Ｄによって駆動されるときに、２つのマイクロスイッチ３１Ｄが、２つの作動部材３３Ｄによってオンに切り替えられるようにそれぞれ駆動されるように、２つのマイクロスイッチ３１Ｄは、２つの作動部材３３Ｄにそれぞれ接続されている。プッシュ部材３２Ｄは、本好適な実施形態において、押し軸として実現されてもよいことに留意すべきである。
【００９８】
制御ユニット３０Ｄは、フック解除機構を提供する。より具体的には、制御ユニット３０Ｄは、保持ピボット３７Ｄと、保持要素３８Ｄとプッシュ部材３２Ｄの間に開口部３９Ｄが形成されるように保持ピボット３７Ｄと旋回可能及び回転可能に接続された保持要素３８Ｄと、を備える。この保持要素３８Ｄはプッシュ部材３２Ｄに取り外し可能に搭載され、開口部３９Ｄにプラグピンが挿入され、受容された場合、マイクロスイッチ３２Ａをそれぞれオンに切り替えるように起動部材３３Ｄを駆動させるように、プッシュ部材３２Ｄは保持要素３８Ｄから取り外される。保持要素３８Ｄは、保持ピボット３７Ｄに関して回転し、プラグピンが、アース線プラグホール５１Ｄにおいて、アース線接続端子５２Ｄに電気的に接続されることを可能にする。
【００９９】
好ましくは、開口部３９Ｄの幅は、プラグのプラグピンの幅と略等しい。言い換えると、開口部３９Ｄは、プラグのプラグピンが、アース線プラグホール５１Ｄ中に挿入されて、保持要素３８Ｄからプッシュ部材３２Ｄを取り外すように、保持要素３８Ｄを押し出す。ここで、プラグのプラグピンからの押圧を、起動部材３３Ｄに適用して、マイクロスイッチ３１Ｄをそれぞれオンに切り替える。
【０１００】
図面の図１９，２０を参照すると、保持要素３８Ｄは、保持アーム３８１Ｄと、保持アーム３８１Ｄから延在する駆動アーム３８２Ｄとを備える。駆動アーム３８２Ｄは、プッシュ部材３２Ｄに取り外し可能に接続される。取り外し可能な搭載方法は、様々な構造を介して達成される。本好適な実施形態にしたがうと、駆動アーム３８２Ｄは、溝３８３Ｄを有する。対応して、プッシュ部材３２Ｄは、フック３２３Ｄを設けられ、駆動アーム３８２Ｄがプッシュ部材３２Ｄに取り外し可能に搭載されるように、フック３２３Ｄは溝３８３Ｄに取り外し可能に係合するように適合されている。プラグのプラグピンが開口部３９Ｄに挿入され、受容されると、プラグピンは、フック３２３Ｄを溝３８３Ｄから離れさせ、プラグピンによって押下されたプッシュ部材３２Ｄは、マイクロスイッチ３１Ｄをオンに切り替えるように内部へと押下される。
【０１０１】
代わりに、駆動アーム３８２Ｄは、フックを設けられ、駆動アーム３８２Ｄがプッシュ部材３２Ｄに取り外し可能に搭載されるように、プッシュ部材３２Ｄは溝を有する。プラグピンのプラグが、開口３９Ｄを通過してアース線接続端子に電気的に接続されるように、フック及び駆動アーム３８２Ｄは、互いに関して予め規定された角度を画定してもよいことに留意すべきである。
【０１０２】
さらに、保持アーム３８１Ｄは、ガイドアーム３８４Ｄを設けられ、プッシュ部材３２Ｄは、開口部３９Ｄへとプラグのプラグピンを滑り込ませるようにガイドするためのガイド表面３２４Ｄを有する。保持アーム３８１Ｄは、保持要素３８Ｄをその元の位置に引き込ませるための金属製の弾性プレートを更に設けられる。
【０１０３】
上記の第１の好適な実施形態と同様に、制御ユニット３０Ｄは、再配置構造３４Ｄを更に備える。２つのマイクロスイッチ３１Ｄが、２つの作動部材３３Ｄによって、オフに切り替えられるようにそれぞれ駆動されるように、２つの作動部材３３Ｄは、再配置構造３４Ｄによって、それらの元の位置に戻る。
【０１０４】
より具体的には、この再配置構造３４Ｄは、２つのばね３４１Ｄを備える弾性構造である。各々のばね３４１Ｄの第１端部は作動部材３３Ｄと接続され、第２端部は電気回路構造４０Ｄまたはハウジングに接続されることが可能である。したがって、本好適な実施形態従いアース線接続プラグピンである、電気器具のプラグピンが、アース線接プラグホール５１Ｄに挿入され、受容されると、２つのマイクロスイッチ３１がオンに切り替えられて、活線アクセス端子４１Ｄに活線接続端子１２Ｄを電気的に接続し、中性線アクセス端子４２Ｄに中性線接続端子２２Ｄを電気的に接続するように、プッシュ部材３２が、２つの作動部材３３Ｄを押すとき、２つのばね３４１Ｄが圧縮される。電気器具のプラグピンが、アース線プラグホール５１Ｄ中から取り出され、プッシュ部材３２Ｄが開放され、２つのばね３４１Ｄがその元の位置にそれぞれ復元すると、２つの起動部材３３Ｄはそれらの元の位置にそれぞれ戻るように駆動され、２つのマイクロスイッチ３１Ｄがそれぞれオフに切り替えられ、これにより、活線アクセス端子４１Ｄから活線接続端子１２Ｄが電気的に切断され、中性線アクセス端子４２Ｄから中性線接続端子２２Ｄが電気的に切断される。
【０１０５】
言い換えると、電気器具のプラグピンと、活線及び中性線接続端子１２Ｄ、２２Ｄとの間の電気的接続は、本発明の電源接続構造装置に電気器具を電気的に接続できる。アース線接続ユニット５０Ｄに接続された制御ユニット３０Ｄが起動されて、２つのマイクロスイッチ３１Ｄがオンに切り替えられるとき、電気器具と、本発明の電源接続構造装置との間の電気回路が電気的に接続できる。
【０１０６】
したがって、プッシュ部材３２Ｄ及び作動部材３３Ｄは、絶縁材で作られる。作動部材のそれぞれは、作動アーム３３１Ｄ、及び作動アーム３３１Ｄから延在した駆動アーム３３２Ｄを備える。作動アーム３３１Ｄは、プッシュ部材３２Ｄ、及び往復運動を提供することが可能な２つの作動部材３３Ｄにより駆動される。マイクロスイッチ３１Ｄのそれぞれは、ばねであってもよい弾性要素３１１Ｄ、及び導電性素子であってもよい電気接続要素３１２Ｄを備えてもよい。２つのマイクロスイッチ３１Ｄの一方は、活線アクセス端子４１Ｄに活線接続端子１２Ｄを電気的に接続し、もう一方のマイクロスイッチ３１Ｄは、中性線アクセス端子４２Ｄに中性線接続端子２２Ｄを電気的に接続する。
【０１０７】
言い換えると、プッシュ部材３２Ｄが押されると、活線アクセス端子４１Ｄに活線接続端子１２Ｄが電気的に接続され、中性線アクセス端子４２Ｄに中性線接続端子２２Ｄが電気的に接続されるように、弾性要素３１１Ｄがプッシュ部材３２Ｄにより駆動されて、弾性要素３１１Ｄを押すように駆動アーム３３２Ｄを駆動し、弾性要素３１１Ｄが電気接続要素３１２Ｄを移動させるように駆動する。
【０１０８】
本発明の上記の第３の好適な実施形態の代替モード従い、図面の図２１を参照すると、構造は、本発明の上記の第３の好適な実施形態の電源接続構造装置と同様にいる。違いは、プッシュ部材３２Ｅが、マイクロスイッチ３１Ｅを直接押下して、電気回路に接続させることである。より具体的には、マイクロスイッチのそれぞれは、金属製の弾性プレートであってもよく、プラスチック金属製の弾性プレートにより保持機能を提供してもよい。より具体的には、プラグのプラグピンが、電気ソケットのプラグホールから抜かれるとき、金属製の弾性プレートの弾性保持機能によって、プッシュ部材３２Ｄがその元の位置に戻る。
【０１０９】
当業者は、図面に示し、上述したような本発明の実施形態は例示に過ぎず、限定することを意図するものではないことを理解するであろう。
【０１１０】
従って、本発明の目的は、完全かつ効果的に達成されていることが分かる。本発明の機能的及び構造的な原理を説明する目的で、実施形態を示し、説明したが、実施形態は、このような原理から逸脱することなく変更されることがある。従って、本発明には、以下の特許請求の範囲の趣旨及び範囲内に包含される全ての変更が含まれる。
【図１】
0005945607.tif 000002
【図２】
0005945607.tif 000003
【図３】
0005945607.tif 000004
【図４】
0005945607.tif 000005
【図５】
0005945607.tif 000006
【図６】
0005945607.tif 000007
【図７】
0005945607.tif 000008
【図８】
0005945607.tif 000009
【図９】
0005945607.tif 000010
【図１０】
0005945607.tif 000011
【図１１】
0005945607.tif 000012
【図１２】
0005945607.tif 000013
【図１３】
0005945607.tif 000014
【図１４】
0005945607.tif 000015
【図１５】
0005945607.tif 000016
【図１６】
0005945607.tif 000017
【図１７】
0005945607.tif 000018
【図１８】
0005945607.tif 000019
【図１９】
0005945607.tif 000020
【図２０】
0005945607.tif 000021
【図２１】
0005945607.tif 000022